(57)【要約】【課題】  複数の基地局からのＭＢＭＳデータの移動局での受信タイミング差が大きくなった場合にも、移動局でＭＢＭＳデータのセル間ソフトコンバイニングができるようにする。【解決手段】  複数の基地局ａ〜ｃはＭＢＭＳデータをＭＴＣＨにて移動局Ｅ〜Ｇに送信し、各移動局はこれら基地局からのＭＢＭＳデータを受信して各基地局からのＭＴＣＨの受信タイミングを測定し、その受信タイミング差を計算する。この受信タイミング差が所定値より大きい場合には、基地局に受信タイミング差を報告する。基地局は、移動局から受信タイミング差が大きいと報告を受けた場合、報告を受けた受信タイミング差の情報に基づいて所定のアルゴリズムで基地局のＭＴＣＨ送信タイミングを補正する。こうすることにより、移動局は小さな受信バッファでＭＢＭＳデータのソフトコンバイニングを実現できる。【選択図】      図１
2008182386.tif 000002
【特許請求の範囲】
【請求項１】
複数の基地局からマルチメディアコンテンツデータを移動局へ送信して前記移動局にてこれらデータをコンバイニングするようにしたＭＢＭＳ（Multimedia Broadcast/Multicast Service）システムにおけるセル間同期補正システムであって、
前記移動局は、前記基地局の各々のデータの受信タイミングを測定して、受信タイミング差が所定値より大なる場合に、前記基地局へ前記受信タイミング差を報告する報告手段を有し、
前記基地局は、前記移動局から報告された前記受信タイミング差に基いて前記データの送信タイミングを補正する補正手段を有することを特徴とするシステム。
【請求項２】
前記補正手段は、前記移動局から報告を受けた最も大きい受信タイミング差に基いて前記送信タイミングの補正をなすことを特徴とする請求項１記載のシステム。
【請求項３】
前記補正手段は、前記移動局から報告を受けた受信タイミング差の平均値に基いて前記送信タイミングの補正をなすことを特徴とする請求項１記載のシステム。
【請求項４】
前記補正手段は、前記移動局から報告を受けた最も大きい受信タイミング差の１／ｎ（ｎは自然数）だけ前記送信タイミングの補正をなすことを特徴とする請求項１記載のシステム。
【請求項５】
前記補正手段は、前記移動局から報告を受けた受信タイミング差の平均値の１／ｎ（ｎは自然数）だけ前記送信タイミングの補正をなすことを特徴とする請求項１記載のシステム。
【請求項６】
前記補正手段は、周期的に、前記移動局から報告を受けた最も大きい受信タイミング差の１／ｎ（ｎは自然数）だけ前記送信タイミングの補正をなすことを特徴とする請求項１記載のシステム。
【請求項７】
前記補正手段は、周期的に、前記移動局から報告を受けた受信タイミング差の平均値の１／ｎ（ｎは自然数）だけ前記送信タイミングの補正をなすことを特徴とする請求項１記載のシステム。
【請求項８】
前記補正手段は、他の複数のセル（基地局）をベストセルとする移動局から報告を受けた受信タイミング差のなかで最も大きい受信タイミング差の１／ｎ（ｎは自然数）だけ前記送信タイミングの補正をなすことを特徴とする請求項１記載のシステム。
【請求項９】
前記補正手段は、他の複数のセル（基地局）をベストセルとする移動局から報告を受けた受信タイミング差の平均値の１／ｎ（ｎは自然数）だけ前記送信タイミングの補正をなすことを特徴とする請求項１記載のシステム。
【請求項１０】
複数の基地局からマルチメディアコンテンツデータを移動局へ送信して前記移動局にてこれらデータをコンバイニングするようにしたＭＢＭＳ（Multimedia Broadcast/Multicast Service）システムにおけるセル間同期補正方法であって、
前記移動局において、前記基地局の各々のデータの受信タイミングを測定して、受信タイミング差が所定値より大なる場合に、前記基地局へ前記受信タイミング差を報告する報告ステップと、
前記基地局において、前記移動局から報告された前記受信タイミング差に基いて前記データの送信タイミングを補正する補正ステップとを含むことを特徴とする方法。
【請求項１１】
前記補正ステップは、前記移動局から報告を受けた最も大きい受信タイミング差に基いて前記送信タイミングの補正をなすことを特徴とする請求項１０記載の方法。
【請求項１２】
前記補正ステップは、前記移動局から報告を受けた受信タイミング差の平均値に基いて前記送信タイミングの補正をなすことを特徴とする請求項１０記載の方法。
【請求項１３】
前記補正ステップは、前記移動局から報告を受けた最も大きい受信タイミング差の１／ｎ（ｎは自然数）だけ前記送信タイミングの補正をなすことを特徴とする請求項１０記載の方法。
【請求項１４】
前記補正ステップは、前記移動局から報告を受けた受信タイミング差の平均値の１／ｎ（ｎは自然数）だけ前記送信タイミングの補正をなすことを特徴とする請求項１０記載の方法。
【請求項１５】
前記補正ステップは、周期的に、前記移動局から報告を受けた最も大きい受信タイミング差の１／ｎ（ｎは自然数）だけ前記送信タイミングの補正をなすことを特徴とする請求項１０記載の方法。
【請求項１６】
前記補正ステップは、周期的に、前記移動局から報告を受けた受信タイミング差の平均値の１／ｎ（ｎは自然数）だけ前記送信タイミングの補正をなすことを特徴とする請求項１０記載の方法。
【請求項１７】
前記補正ステップは、他の複数のセル（基地局）をベストセルとする移動局から報告を受けた受信タイミング差のなかで最も大きい受信タイミング差の１／ｎ（ｎは自然数）だけ前記送信タイミングの補正をなすことを特徴とする請求項１０記載の方法。
【請求項１８】
前記補正ステップは、他の複数のセル（基地局）をベストセルとする移動局から報告を受けた受信タイミング差の平均値の１／ｎ（ｎは自然数）だけ前記送信タイミングの補正をなすことを特徴とする請求項１０記載の方法。
【請求項１９】
複数の基地局からマルチメディアコンテンツデータを移動局へ送信して前記移動局にてこれらデータをコンバイニングするようにしたＭＢＭＳ（Multimedia Broadcast/Multicast Service）システムにおいて、前記基地局が、前記移動局から報告された情報に基いて前記データの送信タイミングを補正するようにしたセル間同期補正システムに用いる移動局であって、
前記基地局の各々のデータの受信タイミングを測定して、受信タイミング差が所定値より大なる場合に、前記受信タイミング差を前記情報として前記基地局へ報告する報告手段を含むことを特徴とする移動局。
【請求項２０】
複数の基地局からマルチメディアコンテンツデータを移動局へ送信して前記移動局にてこれらデータをコンバイニングするようにしたＭＢＭＳ（Multimedia Broadcast/Multicast Service）システムにおいて、前記移動局が、前記基地局からのデータの受信タイミングを測定して、受信タイミング差が所定値より大なる場合に、前記基地局へ前記受信タイミング差を報告するようにしたセル間同期補正システムに用いる基地局であって、
前記移動局から報告された前記受信タイミング差に基いて前記データの送信タイミングを補正する補正手段を含むことを特徴とする基地局。
【発明の詳細な説明】
【技術分野】
【０００１】
本発明はセル間同期補正システム及びその方法並びにそれに用いる移動局及び基地局に関し、特に複数の基地局からマルチメディアコンテンツデータを移動局へ送信して移動局にてこれらデータをソフトコンバイニングするようにしたＭＢＭＳ（Multimedia Broadcast/Multicast Service）システムにおけるセル間同期補正方式に関するものである。
【背景技術】
【０００２】
移動通信システムにおいて、ＭＢＭＳと称されるサービスがある。このＭＢＭＳサービスはマルチメディアコンテンツを３ＧＰＰ（3rd Generation Pertnership Project）に準拠したネットワーク経由で効率的に移動局に配信する放送サービスである。図１は、このＭＢＭＳサービスの概略を説明するためのシステム図であり、基地局制御局Ｄは複数の基地局ａ〜ｃの上位局であり、基地局ａ〜ｃのサービスエリアであるセル（Ｃｅｌｌ）Ａ〜Ｃの各々には、図示のように、移動局Ｅ〜Ｇの各々が在圏しており、これら各移動局Ｅ〜ＧはＭＢＭＳサービスを享受しているものとする。
【０００３】
複数のセルＡ〜Ｃの各々はマルチメディアコンテンツをＭＴＣＨ（MBMS point-to-multipoint Traffic CHannel）にて移動局に送信し、各移動局Ｅ〜Ｇは複数のセルの各々からのマルチメディアコンテンツをＭＴＣＨにて受信する。各移動局では、複数のセルの各々からＭＴＣＨにて受信したマルチメディアコンテンツを、いわゆるセル間ソフトコンバイニング（Soft Combining）を行って、マルチメディアコンテンツであるＭＢＭＳデータの合成をなすようになっている。
【０００４】
図１６は、ある移動局Ｅにおけるセル間ソフトコンバイニングの従来動作を示すフローチャートである。基地局制御局Ｄは複数の基地局ａ〜ｃと移動局ＥにＭＢＭＳ通信を行うための情報を送り、これら複数の基地局ａ〜ｃ及び移動局ＥはＭＢＭＳ通信を行うための情報を、各々のデータ符号化／復号化部に設定する（ステップ１）。基地局制御局Ｄが複数の基地局ａ〜ｃ（セルＡ〜Ｃ）にＭＢＭＳデータを送信する。複数の基地局ａ〜ｃはＭＢＭＳデータを符号化し、移動局Ｅに送信する（ステップ２）。
【０００５】
移動局Ｅは複数の基地局ａ〜ｃからのＭＢＭＳデータを受信する（ステップ３ａ）。移動局Ｅは、この受信タイミング差が小さい場合に、セル間ソフトコンバイニングを行うが（ステップ４，４Ａ）、この受信タイミング差が大きい場合には、セル間ソフトコンバイニングを行わない（ステップ４，４Ｂ）。
【０００６】
なお、関連する技術として、特許文献１，２がある。
【特許文献１】特開平１０−１１７１６５号公報
【特許文献２】特表２００４−５３６７２８号公報
【発明の開示】
【発明が解決しようとする課題】
【０００７】
上述した従来技術においては、移動局において、複数の基地局からのＭＢＭＳデータの受信タイミング差が大きくなった場合に、セル間ソフトコンバイニングを行うことができないという問題がある。すなわち、従来技術では、ＭＢＭＳのＭＴＣＨのセル間ソフトコンバイニングためのセル間同期補正の手段がないために、セル間同期が大きくずれた場合、ＭＢＭＳのＭＴＣＨのセル間ソフトコンバイニングができなくなることにより、移動局がＭＢＭＳのＭＴＣＨを受信できなくなることがある。
【０００８】
そこで、セル間同期が大きくずれた場合を想定して、移動局に受信バッファを設けることが考えられるが、この受信バッファの容量を大きくする必要があり、ハード的にもコスト的にも得策ではない。なお、特許文献１，２の技術は、ソフトハンドオーバ時のセル間同期方式が提案されており、ＭＢＭＳのＭＴＣＨのセル間ソフトコンバイニングのための技術ではない。
【０００９】
本発明の目的は、複数の基地局からのＭＢＭＳデータの移動局での受信タイミング差が大きくなった場合には、ＭＢＭＳ送信データタイミングを補正することにより、複数の基地局からのＭＢＭＳデータの受信タイミング差を小さくすることにより、ＭＢＭＳデータのセル間ソフトコンバイニングを行うことができるようにしたセル間同期補正システム及びその方法並びにそれに用いる移動局及び基地局を提供することである。
【課題を解決するための手段】
【００１０】
本発明によるシステムは、複数の基地局からマルチメディアコンテンツデータを移動局へ送信して前記移動局にてこれらデータをコンバイニングするようにしたＭＢＭＳシステムにおけるセル間同期補正システムであって、前記移動局は、前記基地局の各々のデータの受信タイミングを測定して、受信タイミング差が所定値より大なる場合に、前記基地局へ前記受信タイミング差を報告する報告手段を有し、前記基地局は、前記移動局から報告された前記受信タイミング差に基いて前記データの送信タイミングを補正する補正手段を有することを特徴とする。
【００１１】
本発明による方法は、複数の基地局からマルチメディアコンテンツデータを移動局へ送信して前記移動局にてこれらデータをコンバイニングするようにしたＭＢＭＳシステムにおけるセル間同期補正方法であって、前記移動局において、前記基地局の各々のデータの受信タイミングを測定して、受信タイミング差が所定値より大なる場合に、前記基地局へ前記受信タイミング差を報告する報告ステップと、前記基地局において、前記移動局から報告された前記受信タイミング差に基いて前記データの送信タイミングを補正する補正ステップとを含むことを特徴とする。
【００１２】
本発明による移動局は、複数の基地局からマルチメディアコンテンツデータを移動局へ送信して前記移動局にてこれらデータをコンバイニングするようにしたＭＢＭＳシステムにおいて、前記基地局が、前記移動局から報告された情報に基いて前記データの送信タイミングを補正するようにしたセル間同期補正システムに用いる移動局であって、前記基地局の各々のデータの受信タイミングを測定して、受信タイミング差が所定値より大なる場合に、前記受信タイミング差を前記情報として前記基地局へ報告する報告手段を含むことを特徴とする。
【００１３】
本発明による基地局は、複数の基地局からマルチメディアコンテンツデータを移動局へ送信して前記移動局にてこれらデータをコンバイニングするようにしたＭＢＭＳシステムにおいて、前記移動局が、前記基地局からのデータの受信タイミングを測定して、受信タイミング差が所定値より大なる場合に、前記基地局へ前記受信タイミング差を報告するようにしたセル間同期補正システムに用いる基地局であって、前記移動局から報告された前記受信タイミング差に基いて前記データの送信タイミングを補正する補正手段を含むことを特徴とする。
【００１４】
本発明の作用を述べる。複数の基地局はＭＢＭＳデータをＭＴＣＨにて移動局に送信し、移動局はこれら基地局からのＭＢＭＳデータを受信して各基地局からのＭＴＣＨの受信タイミングを測定し、その受信タイミング差を計算する。この受信タイミング差が所定値より大きい（例えば、１スロットに相当する時間差より大きい）場合には、基地局に受信タイミング差を報告する。
【００１５】
基地局は、移動局から受信タイミング差が大きいと報告を受けた場合、報告を受けた受信タイミング差の情報に基づいて、所定のアルゴリズムで、基地局のＭＴＣＨ送信タイミングを補正する。このように、ＭＢＭＳデータのセル間ソフトコンバイニングに必要なセル間同期を精密に補正しているので、移動局は小さな受信バッファでＭＢＭＳデータのソフトコンバイニングを実現できることになる。
【発明の効果】
【００１６】
本発明によれば、ＭＢＭＳのセル間ソフトコンバイニングに必要なセル間同期を精密に補正可能としているので、移動局は小さな受信バッファでＭＢＭＳのセル間ソフトコンバイニングを実現でき、また、セル同期が大きくずれた場合でも、ＭＢＭＳのセル間ソフトコンバイニングが実現できるという効果がある。
【発明を実施するための最良の形態】
【００１７】
以下に、図面を参照しつつ本発明の実施の形態について説明する。図１は本発明の実施の形態が適用されるシステム概略図であり、従来技術で説明したものと同一であるので、ここではその説明を省略する。
【００１８】
図２は、図１に示した基地局制御局Ｄ、基地局ａ，ｂ及び移動局Ｅの各々の機能ブロック図であり、他の基地局ｃ及び移動局Ｆ，Ｇの機能ブロックについては、基地局ａ，ｂ及び移動局Ｅのそれと同一であるものとする。図２を参照すると、基地局制御局Ｄは制御部１０１とＭＢＭＳデータ作成部１０２とを有している。基地局ａは制御部２０１とデータ符号化・復号化部２０２と変復調部２０３とを有している。基地局ｂは制御部３０１とデータ符号化・復号化部３０２と変復調部３０３とを有している。移動局Ｅは制御部４０１とデータ符号化・復号化部４０２と変復調部４０３とを有し、変復調部４０３には受信バッファ４０４が設けられている。
【００１９】
基地局制御局Ｄの制御部１０１は、基地局ａ，ｂの制御部２０１，３０１に移動局Ｅとの無線通信によるＭＢＭＳ通信を行うための物理チャネル及び論理チャネルのパラメータを送る。基地局制御局ＤのＭＢＭＳデータ作成部１０２は、基地局ａ，ｂが移動局Ｅに送信するＭＢＭＳデータを作成し、基地局ａ，ｂの符号化・復号化部２０２，３０２に送る。
【００２０】
基地局の制御部２０１，３０１は、基地局のデータ符号化・復号化部２０２，３０２にＭＢＭＳ通信を行うための物理チャネル及び論理チャネルのパラメータを設定し、データ符号化・復号化部２０２，３０２は設定されたパラメータに従い、基地局制御局Ｄから送られるＭＢＭＳデータの符号化及び移動局Ｅから送られるデータの復号化を行う。
【００２１】
基地局ａ，ｂの変復調部２０３，３０３は、送信するＭＢＭＳデータの変調及び受信したデータの復調を行う。また、制御部２０１，３０１は、移動局Ｅから受信したＭＢＭＳ受信タイミング差の情報を、基地局ａ，ｂの変復調部２０３，３０３に通知し、変復調部２０３，３０３は本情報に基づいてＭＢＭＳ送信タイミングを補正する。
【００２２】
基地局制御局Ｄの制御部１０１は、基地局ａ，ｂを介して、移動局Ｅの制御部４０１に基地局ａ，ｂとの無線通信によるＭＢＭＳ通信を行うための物理チャネル及び論理チャネルのパラメータを送る。移動局Ｅの制御部４０１は、データ符号化・復号化部４０２にＭＢＭＳ通信を行うための物理チャネル及び論理チャネルのパラメータを設定し、データ符号化・復号化部４０２は設定されたパラメータに従い、送信データの符号化及びＭＢＭＳデータの復号化を行う。
【００２３】
また、移動局Ｅは変復調部４０３内に受信バッファ４０４を有しており、送信データの変調及びＭＢＭＳデータをこの受信バッファに格納した後に復調を行うようになっている。移動局Ｅの変復調部４０３は複数のセルからのＭＢＭＳデータを受信バッファ４０４に格納した後に復調し、これらのＭＢＭＳデータ復調時のデータ受信タイミングを計測し、制御部４０１に送る。
【００２４】
制御部４０１は複数のセルからＭＢＭＳデータ受信タイミング差を計算し、このＭＢＭＳデータ受信タイミング差が、ＭＢＭＳ受信データの複数セル間ソフトコンバイニングできないような大きさになった場合に、制御部４０１は基地局ａ，ｂに対して、ＭＢＭＳデータ受信タイミング差が大きくなったこと及びそのタイミング差を、符号化・復号化部４０２に送り、符号化して変復調部４０３で変調し、基地局ａ，ｂに送る。
【００２５】
基地局ａ，ｂは、移動局Ｅから送られたＭＢＭＳデータ受信タイミング差が大きくなったこと及びそのタイミング差の情報を、変復調部２０３，３０３で復調し、符号化・復号化部２０２，３０２で復号化し、制御部２０１，３０１に送る。制御部２０１，３０１は移動局Ｅから受信したＭＢＭＳデータ受信タイミング差の分だけ送信タイミングを補正するよう、変復調部２０３，３０３に指示する。変復調部２０３，３０３は制御部２０１，３０１からの当該指示に従って、送信タイミングを補正することになる。
【００２６】
次に、本発明の実施の形態の動作を、図３のフローチャートを参照して説明するが、図３において、図１６と同等ステップには同一符号により示している。先ず、基地局制御局Ｄは複数の基地局ａ，ｂ及び移動局Ｅに対してＭＢＭＳ通信を行うための情報を送り、基地局ａ，ｂ及び移動局Ｅは、データ符号化・復号化部２０２，３０２，４０２にＭＢＭＳ通信を行うための情報を設定する（ステップ１）。次に、基地局制御局Ｄは複数の基地局ａ，ｂにＭＢＭＳデータを送信する。基地局ａ，ｂはＭＢＭＳデータを符号化し、移動局Ｅに送信する（ステップ２）。
【００２７】
移動局Ｅは基地局ａ，ｂからのＭＢＭＳデータを受信し、基地局ａ，ｂからのＭＢＭＳデータの受信タイミングを測定し、その受信タイミング差を計算する（ステップ３）。移動局Ｅは、この受信タイミング差が所定値より大きい（例えば、１スロットに相当する時間より大きい）場合、基地局ａ，ｂに対して、当該受信タイミング差を報告する（ステップ４，５）。基地局ａ，ｂは、移動局Ｅから受信タイミング差が大きいと報告を受けた場合、この報告を受けた受信タイミング差の情報に基づいて、自局のＭＢＭＳ送信タイミングを補正することになる（ステップ６）。
【００２８】
＜実施例１＞
次に、本発明の実施例１について説明する。本実施例１のシステム構成及び機能ブロックは、図１，２のそれと同一であるので、その説明は省略し、その動作について図４のフローチャートにより説明する。なお、図４において、図３と同等ステップは同一符号により示している。
【００２９】
基地局制御局Ｄは複数の基地局ａ，ｂ及び移動局Ｅに対してＭＢＭＳ通信を行うための情報を送り、基地局ａ，ｂ及び移動局Ｅはデータ符号化・復号化部２０２，３０２，４０２にＭＢＭＳ通信を行うための情報を設定する（ステップ１）。基地局制御局Ｄが複数の基地局ａ，ｂにＭＢＭＳデータを送信すると、これら基地局はＭＢＭＳデータを符号化し、移動局Ｅに送信する（ステップ２）。移動局Ｅはこれら基地局からのＭＢＭＳデータを受信し、基地局からのＭＢＭＳデータの受信タイミングを測定し、その受信タイミング差を計算する（ステップ３）。
【００３０】
移動局Ｅは、この受信タイミング差が大きい（例えば、１スロット相当時間より大きい）場合、基地局ａ，ｂに対してこの受信タイミング差を報告する（ステップ４，５）。基地局ａ，ｂは、複数の移動局から受信タイミング差が大きいと報告を受けた場合、最も受信タイミング差が大きい報告値の情報に基づいて、自局のＭＢＭＳ送信タイミングを補正する（ステップ６Ａ）。
【００３１】
＜実施例２＞
次に、本発明の実施例２について説明する。本実施例２のシステム構成及び機能ブロックは、図１，２のそれと同一であるので、その説明は省略し、その動作について図５のフローチャートにより説明する。なお、図５において、図３，４と同等ステップは同一符号により示している。
【００３２】
図５において、ステップ１〜５については、図４のステップ１〜５と同一である。ステップ６Ｂおいて、基地局ａ，ｂは複数の移動局から受信タイミング差が大きいと報告を受けた場合、これら報告値の平均値を計算し、受信タイミング差の平均値に基づいて、基地局ａ，ｂのＭＢＭＳ送信タイミングを補正することになる。
【００３３】
＜実施例３＞
次に、本発明の実施例３について説明する。本実施例３のシステム構成及び機能ブロックは、図１，２のそれと同一であるので、その説明は省略し、その動作について図６のフローチャートにより説明する。なお、図６において、図３〜５と同等ステップは同一符号により示している。
【００３４】
図６において、ステップ１〜５については、図３〜５のステップ１〜５と同一である。ステップ６Ｃにおいて、基地局ａ，ｂは複数の移動局から受信タイミング差が大きいと報告を受けた場合、最も受信タイミング差が大きい報告値の情報に基づき、例えば、その「受信タイミング差／ｎ（ｎは自然数）」の分だけ、自局のＭＢＭＳ送信タイミングを補正する。
【００３５】
図１及び図７を用いて、基地局ａ〜ｃの各セルＡ〜Ｃに、それぞれ移動局Ｅ〜Ｇが存在し、セル間受信タイミング差を報告し、最も受信タイミング差が大きい報告値の情報に基づき、その「受信タイミング差／２（ｎ＝２）」の分だけ、基地局ａ〜ｃのＭＢＭＳ送信タイミングをそれぞれ補正する場合の例について説明する。
【００３６】
図７に示すように、セルＡとＢとのタイミング差が０ｍ秒、セルＡとＣとのタイミング差が２００ｍ秒、セルＢとＣとのタイミング差が２００ｍ秒の場合、移動局Ｅ（セルＡがベストセル）は、セルＣに対して、タイミング差である−２００ｍ秒を報告する。移動局Ｆ（セルＢがベストセル）は、セルＣに対して、タイミング差てある−２００ｍ秒を報告する。移動局Ｇ（セルＣがベストセル）は、セルＡとＢとに対して、タイミング差である＋２００ｍ秒を報告する。ここで、ベストセルとは、ある移動局において、コンテンツデータ用のＭＴＣＨの受信レベルが最大のセル（基地局）をいうものとする。
【００３７】
セルＡは、最も大きいタイミング差（＋２００ｍ秒）／２＝＋１００ｍ秒の送信タイミング補正を実施する。セルＢは、最も大きいタイミング差（＋２００ｍ秒）／２＝＋１００ｍ秒の送信タイミング補正を実施する。セルＣは、最も大きいタイミング差（−２００ｍ秒）／２＝−１００ｍの送信タイミング補正を実施する。このようにして、移動局のセル間受信タイミング差を補正するのである。
【００３８】
＜実施例４＞
次に、本発明の実施例４について説明する。本実施例４のシステム構成及び機能ブロックは、図１，２のそれと同一であるので、その説明は省略し、その動作について図８のフローチャートにより説明する。なお、図８において、図３〜５と同等ステップは同一符号により示している。
【００３９】
図８において、ステップ１〜５については、図３〜５などのステップ１〜５と同一である。ステップ６Ｄにおいて、基地局ａ，ｂは複数の移動局から受信タイミング差が大きいと報告を受けた場合、報告値の平均値を計算し、受信タイミング差の平均値の情報に基づき、例えば、その「（受信タイミング差の平均値）／ｎ（ｎは自然数）」の分だけ、基地局ａ，ｂのＭＢＭＳ送信タイミングを補正するのである。
【００４０】
図１及び図９を用いて、基地局ａ〜ｃの各セルＡ〜Ｃに、それぞれ移動局Ｅ〜Ｇが存在し、セル間受信タイミング差を報告し、報告値の平均値を計算し、受信タイミング差の平均値の情報に基づき、その「（受信タイミング差の平均値）／２」の分だけ、基地局ａ，ｂのＭＢＭＳ送信タイミングを補正する場合の例を示す。
【００４１】
図９に示すように、セルＡとＢとのタイミング差が０ｍ秒、セルＡとＣとのタイミング差が２００ｍ秒、セルＢとＣとのタイミング差が２００ｍ秒の場合、移動局Ｅ（セルＡがベストセル）は、セルＣに対して、タイミング差である−２００ｍ秒を報告する。移動局Ｆ（セルＢがベストセル）は、セルＣに対して、タイミング差である−２００ｍ秒を報告する。移動局Ｇ（セルＣがベストセル）は、セルＡとＢとに対して、タイミング差である＋２００ｍ秒を報告する。
【００４２】
セルＡは、タイミング差平均（＋２００ｍ秒）／２＝＋１００ｍ秒の送信タイミング補正を実施する。セルＢは、タイミング差平均（＋２００ｍ秒）／２＝＋１００ｍ秒の送信タイミング補正を実施する。セルＣは、タイミング差平均［｛（−２００ｍ秒）＋（−２００ｍｓ）｝／２］／２＝−１００ｍ秒の送信タイミング補正を実施する。このようにして、移動局のセル間受信タイミング差を補正するのである。
【００４３】
＜実施例５＞
次に、本発明の実施例５について説明する。本実施例５のシステム構成及び機能ブロックは、図１，２のそれと同一であるので、その説明は省略し、その動作について図１０のフローチャートにより説明する。なお、図１０において、図３〜５と同等ステップは同一符号により示している。
【００４４】
図１０において、ステップ１〜５については、図３〜５などのステップ１〜５と同一である。ステップ６Ｅにおいて、基地局ａ，ｂは複数の移動局から受信タイミング差が大きいと報告を受けた場合、受信タイミングの差計算において計算対象とする報告をある一定期間に受け付けたものとし、周期的に、最も受信タイミング差が大きい報告値の情報に基づき、例えば、その「受信タイミング差／ｎ（ｎは自然数）」の分だけ、基地局ａ，ｂのＭＢＭＳ送信タイミングを補正する。
【００４５】
図１及び図７を用いて、基地局ａ〜ｃの各セルＡ〜Ｃに、それぞれ移動局Ｅ〜Ｇが存在し、セル間受信タイミング差を報告し、最も受信タイミング差が大きい報告値の情報に基づき、その「受信タイミング差／２」の分だけ、基地局ａ，ｂのＭＢＭＳ送信タイミングを補正する場合の例を示す。
【００４６】
図７に示すように、セルＡとＢとのタイミング差が０ｍ秒、セルＡとＣとのタイミング差が２００ｍ秒、セルＢとＣとのタイミング差が２００ｍ秒の場合、移動局Ｅ（セルＡがベストセル）は、セルＣに対して、タイミング差である−２００ｍ秒を報告する。移動局Ｆ（セルＢがベストセル）は、セルＣに対して、タイミング差である−２００ｍ秒を報告する。移動局Ｇ（セルＣがベストセル）は、セルＡとＢとに対して、タイミング差である＋２００ｍ秒を報告する。
【００４７】
セルＡは、最も大きいタイミング差（＋２００ｍ秒）／２＝＋１００ｍ秒の送信タイミング補正を実施する。セルＢは、最も大きいタイミング差（＋２００ｍ秒）／２＝＋１００ｍ秒の送信タイミング補正を実施する。セルＣは、最も大きいタイミング差（−２００ｍ秒）／２＝−１００ｍ秒の送信タイミング補正を実施する。このようにして、移動局のセル受信タイミング差を補正することになる。
【００４８】
＜実施例６＞
次に、本発明の実施例６について説明する。本実施例６のシステム構成及び機能ブロックは、図１，２のそれと同一であるので、その説明は省略し、その動作について図１１のフローチャートにより説明する。なお、図１１において、図３〜５と同等ステップは同一符号により示している。
【００４９】
図１１において、ステップ１〜５については、図３〜５などのステップ１〜５と同一である。ステップ６Ｆにおいて、基地局ａ，ｂは複数の移動局から受信タイミング差が大きいと報告を受けた場合、受信タイミングの差計算において計算対象とする報告をある一定期間に受け付けたものとし、周期的に、報告値の平均値を計算し、受信タイミング差の平均値の情報に基づき、例えば、その「（受信タイミング差の平均値）／ｎ（ｎは自然数）」の分だけ、基地局ａ．ｂのＭＢＭＳ送信タイミングを補正する。
【００５０】
図１及び図９を用いて、基地局ａ〜ｃの各セルＡ〜Ｃに、それぞれ移動局Ｅ〜Ｇが存在する場合について説明する。図９に示すように、セルＡとＢとのタイミング差が０ｍ秒、セルＡとＣとのタイミング差が２００ｍ秒、セルＢとＣとのタイミング差が２００ｍ秒の場合、移動局Ｅ（セルＡがベストセル）は、セルＣに対して、タイミング差である−２００ｍ秒を報告する。移動局Ｆ（セルＢがベストセル）は、セルＣに対して、タイミング差である−２００ｍ秒を報告する。移動局Ｇ（セルＣがベストセル）は、セルＡとＢとに対して、タイミング差である＋２００ｍ秒を報告する。
【００５１】
セルＡは、タイミング差平均（＋２００ｍ秒）／２＝＋１００ｍ秒の送信タイミング補正を実施する。セルＢは、タイミング差平均（＋２００ｍ秒）／２＝＋１００ｍ秒の送信タイミング補正を実施する。セルＣは、タイミング差平均［｛（−２００ｍ秒）＋（−２００ｍｓ）｝／２］／２＝−１００ｍ秒の送信タイミング補正を実施する。このようにして、移動局のセル間受信タイミング差を補正することになる。
【００５２】
＜実施例７＞
次に、本発明の実施例７について説明する。本実施例７のシステム構成及び機能ブロックは、図１，２のそれと同一であるので、その説明は省略し、その動作について図１２のフローチャートにより説明する。なお、図１２において、図３〜５と同等ステップは同一符号により示している。
【００５３】
図１２において、ステップ１〜５については、図３〜５などのステップ１〜５と同一である。ステップ７において、基地局ａ，ｂは、例えば、ｍ（ｍは２以上の整数）以上の他セルがベストセルの移動局から受信タイミング差が大きいと報告を受けた場合、次のステップ６Ｇにおいて、最も受信タイミング差が大きい報告値の情報に基づき、例えば、その「受信タイミング差／ｎ（ｎは自然数）」の分だけ、基地局ａ，ｂのＭＢＭＳ送信タイミングを補正する。
【００５４】
図１及び図１３を用いて、基地局ａ〜ｃの各セルＡ〜Ｃに、それぞれ移動局Ｅ〜Ｇが存在する場合について説明する。図１３に示すように、セルＡとＢとのタイミング差が０ｍ秒、セルＡとＣとのタイミング差が２００ｍ秒、セルＢとＣとのタイミング差が２００ｍ秒の場合、移動局Ｅ（セルＡがベストセル）は、セルＣに対して、タイミング差である−２００ｍ秒を報告する。移動局Ｆ（セルＢがベストセル）は、セルＣに対して、タイミング差である−２００ｍ秒を報告する。移動局Ｇ（セルＣがベストセル）は、セルＡとＢとに対して、タイミング差である＋２００ｍ秒を報告する。
【００５５】
セルＡは、移動局Ｇからの報告のみのため、送信タイミング補正実施しない。セルＢも、移動局Ｇからの報告のみのため、送信タイミング補正実施しない。セルＣは、複数の移動局Ｅ，Ｆから報告を受け、最も大きいタイミング差である−２００ｍ秒の送信タイミング補正を実施する。このようにして、移動局のセル間受信タイミング差を補正するのである。
【００５６】
＜実施例８＞
次に、本発明の実施例８について説明する。本実施例８のシステム構成及び機能ブロックは、図１，２のそれと同一であるので、その説明は省略し、その動作について図１４のフローチャートにより説明する。なお、図１４において、図３や図１２と同等ステップは同一符号により示している。
【００５７】
図１４において、ステップ１〜５及び７については、図１２のステップ１〜５及び７と同一である。ステップ７において、基地局ａ，ｂは、例えば、ｍ（ｍは２以上の整数）以上の他セルがベストセルの移動局から受信タイミング差が大きいと報告を受けた場合、ステップ６Ｈで、報告値の平均値を計算し、受信タイミング差の平均値の情報に基づき、例えば、その「（受信タイミング差の平均値）／ｎ（ｎは自然数）」の分だけ、基地局ａ．ｂのＭＢＭＳ送信タイミングを補正する。
【００５８】
図１及び図１５を用いてセルＡ〜Ｃに移動局Ｅ〜Ｇが存在し、セル間受信タイミング差を報告し、２つ以上の他セルがベストセルの移動局からの報告を受けたセルＣのみが、受信タイミング差の報告値の平均の情報に基づき、その「平均の受信タイミング差／１」の分だけ、基地局ａ，ｂのＭＢＭＳ送信タイミングを補正する場合の例を示す。
【００５９】
図１５に示すように、セルＡとＢとのタイミング差が０ｍ秒、セルＡとＣとのタイミング差が２００ｍ秒、セルＢとＣとのタイミング差が２０0m秒の場合、移動局Ｅ（セルＡがベストセル）は、セルＣに対して、タイミング差である−２００ｍ秒を報告する。移動局Ｆ（セルＢがベストセル）は、セルＣに対して、タイミング差である−２００ｍ秒を報告する。移動局Ｇ（セルＣがベストセル）は、セルＡとＢとに対して、タイミング差である＋２００ｍ秒を報告する。
【００６０】
セルＡは、移動局Ｇからの報告のみのため、送信タイミング補正実施しない。セルＢは、移動局Ｇからの報告のみのため、送信タイミング補正実施しない。セルＣは、複数の移動局Ｅ，Ｆから報告を受け、タイミング差平均｛（−２００ｍ秒）＋（−２００ｍｓ）｝／２＝−２００ｍ秒送信タイミング補正実施する。このようにして、移動局のセル間受信タイミング差を補正することになる。
【００６１】
上述した各実施例における動作は、予めその動作手順をプログラムとしてＲＯＭなどの記録媒体に格納しておき、これをコンピュータ（ＣＰＵ）により読み取らせて実行させるように構成できることは明らかである。
【図面の簡単な説明】
【００６２】
【図１】本発明の実施の形態が適用されるシステム概略図である。
【図２】本発明の実施の形態の概略機能ブロック図である。
【図３】本発明の実施の形態の動作を示すフローチャートである。
【図４】本発明の実施例１の動作を示すフローチャートである。
【図５】本発明の実施例２の動作を示すフローチャートである。
【図６】本発明の実施例３の動作を示すフローチャートである。
【図７】本発明の実施例３の動作を説明するための図である。
【図８】本発明の実施例４の動作を示すフローチャートである。
【図９】本発明の実施例４の動作を説明するための図である。
【図１０】本発明の実施例５の動作を示すフローチャートである。
【図１１】本発明の実施例６の動作を示すフローチャートである。
【図１２】本発明の実施例７の動作を示すフローチャートである。
【図１３】本発明の実施例７の動作を説明するための図である。
【図１４】本発明の実施例８の動作を示すフローチャートである。
【図１５】本発明の実施例８の動作を説明するための図である。
【図１６】従来例の動作を示すフローチャートである。
【符号の説明】
【００６３】
Ａ〜Ｃ  セル
ａ〜ｃ  基地局
Ｄ  基地局制御局
Ｅ〜Ｇ  移動局
１０１，２０１，３０１，４０１  制御部
１０２  ＭＢＭＳデータ作成部
２０２，３０２，４０２  データ符号化・復号化部
２０３，３０３，４０３  変復調部
【図１】
2008182386.tif 000003
【図２】
2008182386.tif 000004
【図３】
2008182386.tif 000005
【図４】
2008182386.tif 000006
【図５】
2008182386.tif 000007
【図６】
2008182386.tif 000008
【図７】
2008182386.tif 000009
【図８】
2008182386.tif 000010
【図９】
2008182386.tif 000011
【図１０】
2008182386.tif 000012
【図１１】
2008182386.tif 000013
【図１２】
2008182386.tif 000014
【図１３】
2008182386.tif 000015
【図１４】
2008182386.tif 000016
【図１５】
2008182386.tif 000017
【図１６】
2008182386.tif 000018